(57)【要約】      （修正有）【課題】マットの機能及びトレイの機能を変換可能な物品を提供する。【解決手段】変換可能な物品１０１は、略平面状の剛性ベース部分１０４と、該ベース部分１０４の周りに延在する辺縁１０５とを備える。辺縁１０５は、剛性辺縁部分１０６と、ベース部分及び辺縁部分１０４、１０６よりも薄い、接合する、実質的に折りたたみ式でないウェブ部分１０７とを備える。辺縁１０５は、辺縁部分１０６がベース部分１０４と実質的に同一平面上にある第１のマット構成と、辺縁部分１０６がベース部分１０４に対して傾斜した第２のトレイ構成との間で構成可能である。ベース部分及び辺縁部分１０４、１０６は、ウェブ部分１０７を提供する可撓性材料の基材シート上で支持される。ベース部分及び辺縁部分１０４、１０６の外側表面は、ディスプレイ面として露出される。【選択図】図２
0003210166.tif 000002
【実用新案登録請求の範囲】
【請求項１】
可撓性材料の基材シートと、
その内側表面が前記可撓性材料の基材シートの第１の側部に固定された略平面状の剛性ベース部分と、
前記剛性ベース部分の周りに延在する辺縁であって、剛性辺縁部分を備え、各剛性辺縁部分が、その内側表面を前記可撓性材料の基材シートの前記第１の側部に固定させた、辺縁と
を備えた変換可能な物品であって、
前記剛性ベース部分が略方形であり、側部の第１のペアと、側部の第２の対向するペアとを有し、
前記辺縁が、
略方形の形状を有し、前記剛性ベース部分の前記側部の第１のペアと前記剛性ベース部分の前記側部の第２の対向するペアのうちの一方に沿って延在する、剛性辺縁部分の第１のペアと、
一方が他方よりも長い、対向する平行な側縁を備えた略台形の形状を有し、前記剛性ベース部分の前記側部の第１のペアと前記剛性ベース部分の前記側部の第２の対向するペアのうちの他方に沿って延在する、剛性辺縁部分の第２のペアであって、短い方の側縁が前記剛性ベース部分により近い、剛性辺縁部分の第２のペアと、
前記可撓性材料の基材シートによって提供される、接合する、実質的に折りたたみ式でない可撓性ウェブ部分であって、略三角形の形状を有し、前記剛性ベース部分及び前記剛性辺縁部分よりも薄い、可撓性ウェブ部分と
を備え、
前記辺縁が、
前記剛性辺縁部分が前記剛性ベース部分と実質的に同一平面上にある第１のマット構成と、
前記剛性辺縁部分が前記剛性ベース部分に対して傾斜した第２のトレイ構成と
の間で繰り返し構成可能であり、
前記剛性辺縁部分と前記可撓性ウェブ部分が、前記剛性辺縁部分の第１のペアを前記剛性ベース部分に対する略同一平面上の位置と前記剛性ベース部分に対して傾斜した位置のうちの一方と他方との間で動かすことによって前記剛性辺縁部分の第２のペアが対応するように動くように構成された辺縁を提供し、
前記剛性ベース部分の外側表面、前記剛性辺縁部分の外側表面、及び前記可撓性材料が見え、前記剛性ベース部分及び前記剛性辺縁部分の外側表面は、品物が受け取り可能であるディスプレイ面として露出される、
前記変換可能な物品。
【請求項２】
可撓性材料の基材シートが、第１の側部上でのみ剛性ベース部分と剛性辺縁部分の単一のセットを支持する、請求項１に記載の変換可能な物品。
【請求項３】
可撓性材料の基材シートが、第１の側部上で剛性ベース部分と剛性辺縁部分の第１のセットを支持し、その第２の側部上で剛性ベース部分と剛性辺縁部分の第２のセットを支持する、請求項１に記載の変換可能な物品。
【請求項４】
リバーシブルの第２のトレイ構成を有する、請求項１〜３のいずれかに記載の変換可能な物品。
【請求項５】
剛性ベース部分が、短い方の対向する側部のペアと、長い方の対向する側部のペアとを有し、
剛性辺縁部分の第１のペアが、剛性ベース部分の短い方の対向する側部のペアに沿って延在し、
剛性辺縁部分の第２のペアが、ベース部分の対向する長い方の側部のペアに沿って延在する、
請求項１〜６のいずれかに記載の変換可能な物品。
【請求項６】
辺縁がハンドルのペアを備える、請求項１〜５のいずれかに記載の変換可能な物品。
【請求項７】
ハンドルのペアがハンドル開口部のペアを備える、請求項６に記載の変換可能な物品。
【請求項８】
ハンドルのペアが、剛性辺縁部分の第１のペア及び可撓性材料の基材シートにおいて画定されたハンドル開口部のペアを備える、請求項７に記載の変換可能な物品。
【請求項９】
各剛性ベース部分及び各剛性辺縁部分の内側表面が、接着剤を使用して可撓性材料の基材シートに固定される、請求項１〜８のいずれかに記載の変換可能な物品。
【請求項１０】
剛性辺縁部分がすべて、同じ材料又は材料の組み合わせから製作される、請求項１〜９のいずれかに記載の変換可能な物品。
【請求項１１】
ベース部分が、剛性辺縁部分と同じ材料又は材料の組み合わせから製作される、請求項１０に記載の変換可能な物品。
【請求項１２】
各剛性ベース部分及び各剛性辺縁部分が、木、金属、ガラス、プラスチック材料のうちの１つから製作される、請求項１〜１１のいずれかに記載の変換可能な物品。
【請求項１３】
可撓性材料の基材シートが、織物、皮革、プラスチック材料のうちの１つから製作される、請求項１〜１２のいずれかに記載の変換可能な物品。
【請求項１４】
可撓性材料のシートを受け取るステップと、
剛性ベース部分と剛性辺縁部分の第１のセットを受け取るステップであって、前記剛性ベース部分と剛性辺縁部分の第１のセットが、第１の剛性ベース部分と、剛性辺縁部分の第１のペアと、剛性辺縁部分の第２のペアとを備える、受け取るステップと、
前記第１の剛性ベース部分の周囲に延在する辺縁を形成するために、前記受け取られた第１の剛性ベース部分の内側表面を、前記受け取られた可撓性材料のシートの第１の側部に固定し、前記剛性辺縁部分の第１のペア及び前記剛性辺縁部分の第２のペアの内側表面を、前記受け取られた可撓性材料のシートの前記第１の側部に固定するステップであって、前記第１の剛性ベース部分の外側表面、前記剛性辺縁部分の第１のペア及び前記剛性辺縁部分の第２のペアの外側表面、並びに前記辺縁の前記可撓性材料が見え、前記第１の剛性ベース部分及び前記剛性辺縁部分の第１のペア及び前記剛性辺縁部分の第２のペアの外側表面がディスプレイ面として露出される、固定するステップと
を含む、請求項１に記載の変換可能な物品の製造方法。
【請求項１５】
剛性ベース部分と剛性辺縁部分の第２のセットを受け取るステップであって、前記剛性ベース部分と剛性辺縁部分の第２のセットが、第２の剛性ベース部分と、剛性辺縁部分の第３のペアと、剛性辺縁部分の第４のペアとを備える、受け取るステップと、
前記第２の剛性ベース部分の周囲に延在する辺縁を形成するために、前記受け取られた第２の剛性ベース部分の内側表面を、受け取られた可撓性材料のシートの第２の側部に固定し、前記剛性辺縁部分の第３のペア及び前記剛性辺縁部分の第４のペアの内側表面を、受け取られた可撓性材料のシートの前記第２の側部に固定するステップであって、前記第２の剛性ベース部分の外側表面、前記剛性辺縁部分の第３のペア及び前記剛性辺縁部分の第４のペアの外側表面、並びに辺縁の可撓性材料が見え、前記第２の剛性ベース部分及び前記剛性辺縁部分の第３のペア及び前記剛性辺縁部分の第４のペアの外側表面がディスプレイ面として露出される、固定するステップと
を含む、請求項１４に記載の変換可能な物品の製造方法。
【考案の詳細な説明】
【技術分野】
【０００１】
本発明は、変換可能な（convertible）物品に関し、詳細には、マットの機能及びトレイの機能を提供する変換可能な物品に関する。
【背景技術】
【０００２】
さまざまなタイプのマットが知られており、さまざまな状況で使用され得る。マットの一般的な用途は、たとえば熱、こぼすこと、ぶつかること、又はひっかき傷からの表面の損傷を防止するために表面の領域全体にわたって保護バリアを提供することである。マットは、可撓性であっても剛性であってもよく、設計では、より実用的であってもより装飾的であってもよい。
【０００３】
さまざまなタイプのトレイも知られており、同じく、さまざまな状況で使用され得る。たとえば、１又は２以上の物品の運搬を容易にするためにトレイを使用することが知られている。トレイは、設定の範囲で使用されてよく、実際的な品物だけでなく審美的に美しいように設計され得る。
【考案の概要】
【考案が解決しようとする課題】
【０００４】
マット及びトレイとして機能可能であり、商業的に実現可能なコストで製造するのに好都合な、さまざまな消費者に実際的及び／又は審美的にアピールできる変換可能な物品を提供することが望ましい。
【課題を解決するための手段】
【０００５】
第１の態様によれば、略平面状の剛性ベース部分と、このベース部分の周りに延在する辺縁であって、剛性辺縁部分と、前記ベース部分及び前記辺縁部分よりも薄い、接合する、実質的に折りたたみ式でないウェブ（web）部分とを備え、前記辺縁部分が前記ベース部分と実質的に同一平面上にある第１のマット構成と、前記辺縁部分が前記ベース部分に対して傾斜した第２のトレイ構成との間で構成可能である、辺縁とを備え、前記ベース部分及び前記辺縁部分が、前記ウェブ部分を提供する可撓性材料の基材シート上で支持され、前記ベース部分及び前記辺縁部分の外側表面がディスプレイ面として露出される、変換可能な物品が提供される。
【０００６】
一実施形態では、可撓性材料の基材シートは、その一方の側部上でのみベース部分と辺縁部分の単一のセットを支持する。代替実施形態では、可撓性材料の基材シートは、その一方の側部上でベース部分と辺縁部分の第１のセットを、その他方の側部上でベース部分と辺縁部分の第２の同様のセットを支持する。変換可能な物品は、リバーシブルの第２のトレイ構成を有し得る。
【０００７】
一実施形態では、ベース部分は略方形であり、辺縁は、ベース部分のそれぞれの第１の対向する側部のペア及び第２の対向する側部のペアに沿って延在する辺縁部分の第１のペアと第２のペアを備える。辺縁の辺縁部分及びウェブ部分は、辺縁部分の第１のペアと第２のペアのうちの一方のペアをベース部分に対する略同一平面上の位置とベース部分に対して傾斜した位置の一方と他方との間で動かすことによって辺縁部分の第１のペアと第２のペアのうちの他方のペアが対応するように動くように構成された辺縁を提供するように形作られる。
【０００８】
一実施形態では、辺縁は、ハンドルのペアを備える。
【０００９】
一実施形態では、辺縁の外縁は、ベース部分の外縁の周りで略平行に延在する。
【００１０】
第２の態様によれば、可撓性材料のシートを受け取るステップと、ベース部分及び辺縁部分を受け取るステップと、受け取られたベース部分及び辺縁部分を受け取られた可撓性材料の基材シートに固定するステップとを含み、ベース部分及び辺縁部分の外側表面はディスプレイ面として露出される、任意の先行する請求項に記載の変換可能な物品の製造方法が提供される。
【図面の簡単な説明】
【００１１】
次に、本発明の実施形態について、添付の図面を参照しながら、より具体的に説明する。
【図１】第１のマット構成における、第１の実施形態による変換可能な物品を示す図である。
【図２】第１のマット構成から第２のトレイ構成への、図１の変換可能な物品の変換を示す図である。
【図３】反対方向における、第１のマット構成から第２のトレイ構成への、図１の変換可能な物品の変換を示す図である。
【図４】第１のマット構成における、第２の実施形態による変換可能な物品を示す図である。
【図５】第１のマット構成から第２のトレイ構成への、図４の変換可能な物品の変換を示す図である。
【図６】反対方向における、第１のマット構成からの、図４の変換可能な物品の変換を示す図である。
【図７】ハンドルを備える変換可能な物品を示す図である。
【図８】変換可能な物品の製造方法におけるステップを示す図である。
【考案を実施するための形態】
【００１２】
変換可能な物品１０１が図１に示されている。変換可能な物品１０１は、１０２で示される第１の側部と、１０３で示される第２の側部とを有する。変換可能な物品１０１は、マットの機能及びトレイの機能を提供する。
【００１３】
変換可能な物品１０１は、略平面状の剛性ベース部分１０４と、ベース部分１０４の周りに延在する辺縁１０５とを備える。辺縁１０５は、剛性辺縁部分１０６と、ベース部分１０４及び辺縁部分１０６よりも薄い、接合する、実質的に折りたたみ式でないウェブ部分１０７とを備える。辺縁１０５は、辺縁部分１０６がベース部分１０４と実質的に同一平面上にある第１のマット構成と、辺縁部分１０６がベース部分１０４に対して傾斜した第２のトレイ構成との間で構成可能である。さらに詳細に説明するように、ベース部分１０４及び辺縁部分１０６は、ウェブ部分１０７を提供する可撓性材料の基材シート１０８上で支持される。ベース部分１０４及び辺縁部分１０６の外側表面１０９、１１０はそれぞれ、ディスプレイ面として露出される。
【００１４】
この第１の図示の実施形態では、可撓性材料の基材シート１０８は、その一方の側部上でのみベース部分１０４と辺縁部分１０６の単一のセットを支持する。したがって、図１に示すように、変換可能な物品１０１の一方の側部１０２は、可撓性材料の基材シート１０８の一方の側部１１１の領域の上に重なるベース部分１０４及び辺縁部分１０６を提供し、変換可能な物品１０１の他方の側部１０３は、可撓性材料の基材シート１０８の他方の側部１１２を提供する。
【００１５】
変換可能な物品１０１は、図１では第１のマット構成で示されている。図２は、変換可能な物品１０１が第１のマット構成から第２のトレイ構成へと動かされているところを示す。
【００１６】
Ａでは、変換可能な物品１０１は、第１の側部１０２が上方向を向いており、ベース部分１０４及び辺縁部分１０６が見えるように示されている。この実施形態では、ベース部分１０４は略方形であり、辺縁１０５は、ベース部分１０４のそれぞれの第１の側部及び第２の対向する側部に沿って延在する辺縁部分１０６の第１のペア２０１と第２のペア２０２とを備える。辺縁１０５は、ベース部分１０４に対する略同一平面上の位置とベース部分１０４に対して傾斜した位置との間で辺縁部分１０６の第１のペア２０１及び第２のペア２０２のうちの第１のペア２０１を動かすことによって、辺縁部分１０６の第１のペア２０１及び第２のペア２０２のうちの第２のペア２０２が対応するように動くように構成される。この図でわかるように、ベース部分１０４は、短い方の対向する側部のペアと長い方の対向する側部のペアとを有し、辺縁部分１０６の第１のペア２０１の辺縁部分は、ベース部分１０４の短い方の対向する側部のペアに沿って配置され、辺縁部分１０６の第２のペア２０２の辺縁部分は、ベース部分の対向する長い方の側部ペアに沿って配置される。図示のように、辺縁部分１０６の第１のペア２０１の辺縁部分は略方形の形状を有し、辺縁部分１０６の第２のペア２０２の辺縁部分は略台形の形状を有し、ウェブ部分１０７は略三角形の形状を有する。辺縁部分１０６の第２のペア２０２の辺縁部分１０６の略台形の形状は、一方が他方よりも長い、長い方の側縁から略４５°の角度で延在して略１３５°の角度で短い方の側縁と交わる内側に傾斜した端縁によって接続された対向する平行側縁のペアを有し、略台形形状は、長い方の側縁が最も外側であり、短い方の側縁が最も内側であるように、ベース部分１０４に対して方向付けられる。
【００１７】
Ａで示されるように、変換可能な物品１０１をマット構成からトレイ構成に変換するために、辺縁部分１０６の第１のペア２０１の辺縁部分が、矢印Ｘによって示されるように、互いの方へ上向き及び内側に回転され、この動作によって、辺縁部分１０６の第２のペア２０２の辺縁部分１０６も、矢印Ｙによって示されるように、互いの方へ上向き及び内側に回転される。Ｂでは、変換可能な物品１０１はトレイ構成で示されている。辺縁部分１０６の第１のペア２０１及び第２のペア２０２の辺縁部分は、辺縁部分１０６がベース部分１０４に対して同一平面上の位置にある位置から、辺縁部分１０６がベース部分１０４に略垂直な位置へと、略９０°の回転の最大角度によって移動される。
【００１８】
したがって、変換可能な物品１０１は、変換可能な物品１０１が比較的より２次元的であり、辺縁部分１０６がベース部分１０４の支持表面Ｓと実質的に同じ平面内に延在する第１のマット構成と、変換可能な物品１０１が比較的より３次元的であり、辺縁部分１０６がベース部分１０４から上向きに延在してその支持表面Ｓの周りに側壁を提供する第２のトレイ構成との間で構成可能である。
【００１９】
変換可能な物品１０１が、図１に示されるマット構成であるとき、及び変換可能な物品１０１が、図２に示されるトレイ構成であるとき、品物は、変換可能な物品１０１の第１の側部１０２の支持表面Ｓの上に設置されてよいことを諒解されたい。品物は、ベース部分１０４のディスプレイ面１０９上で受け取り可能である。
【００２０】
トレイからマットへの変換可能な物品１０１の変換を遂行するために、辺縁部分１０６の第１のペア２０１の辺縁部分が、矢印Ｘによって示される方向に対して反対方向に、互いから離れて下向き及び外側に回転され、この動作によって、辺縁部分１０６の第２のペア２０２の辺縁部分１０６も、矢印Ｙによって示される方向に対して反対方向に、互いから離れて下向き及び外側に回転される。
【００２１】
可撓性材料の基材材料によって、マット構成とトレイ構成との間での変換可能な物品の変換を可能にするために、ウェブの形状の領域を通って延在する折り線に沿ったウェブ折りたたみではなく、蝶番の形で折りたたみがウェブの縁に沿って行われるように辺縁部分がウェブと接する折り線に沿って辺縁の折りたたみが可能になることを理解されたい。
【００２２】
変換可能な物品１０１は、ユーザが所望する通り、第１のマット構成と第２のトレイ構成との間で繰り返し変換可能である。
【００２３】
図２に関して説明したように、変換可能な物品１０１の辺縁部分１０６は、マットからトレイへの変換を遂行するように、その第１の側部１０２に対して回転可能である。しかしながら、さらに図３に関して説明するように、この実施形態では、変換可能な物品１０１は、リバーシブルの第２のトレイ構成を有する。
【００２４】
図３のＣでは、変換可能な物品１０１は、第２の側部１０３が上を向き、ベース部分１０４及び辺縁部分１０６が可撓性材料の基材シート１０８の後ろの図から隠されて、示されている。
【００２５】
変換可能な物品１０１をマット構成からトレイ構成に変換するために、同じステップが前述のように辿られる。Ｄでは、変換可能な物品１０１はトレイ構成で示されている。変換可能な物品１０１が、図１に示されるマット構成であるとき、及び変換可能な物品１０１が、図３に示されるトレイ構成であるとき、品物は、変換可能な物品１０１の第２の側部１０３の支持表面ＳＳの上に設置されてよいことを諒解されたい。品物は、可撓性材料の基材シート１０８のディスプレイ面１１２上で受け取り可能である。したがって、図２に関して説明したように、変換可能な物品１０１の辺縁部分１０６は、マットからトレイへの変換を遂行するように、その第１の側部１０２に対して回転可能であり、図３に関して説明するように、変換可能な物品１０１の辺縁部分１０６は、マットからトレイへの変換を遂行するように、その第２の側部１０３に対して回転可能である。このようにして、変換可能な物品１０１は十分にリバーシブルであり、その両側部１０２、１０３は、マット構成とトレイ構成のどちらかであるとき、その上に品物を受け取るために支持表面Ｓ、ＳＳをそれぞれ提供する。
【００２６】
図１〜図３に関して説明する変換可能な物品１０１の第１の実施形態では、可撓性材料の基材シート１０８は、その一方の側部１１１上でのみ、ベース部分１０４と辺縁部分１０６の単一のセットを支持する。次に、変換可能な物品４０１の第２の実施形態について、図４〜図６に関して説明する。便宜上、必要に応じて同じ参照番号が同じ特徴に使用される。
【００２７】
図４に示すように、変換可能な物品４０１は、１０２で示される第１の側部と、１０３で示される第２の側部とを有する。変換可能な物品４０１は、マットの機能及びトレイの機能を提供する。
【００２８】
この第２の図示の実施形態では、変換可能な物品４０１の可撓性材料の基材シート１０８は、その一方の側部１１１上でベース部分１０４と辺縁部分１０６の第１のセットを、その他方の側部１１２上でベース部分４０２と辺縁部分４０３の第２の同様のセットを支持する。
【００２９】
図５に示すように、変換可能な物品４０１の辺縁部分１０６は、マットからトレイへの変換を遂行するように、その第１の側部１０２に対して回転可能である。変換可能な物品４０１が、図４に示されるマット構成であるとき、及び変換可能な物品１０１が、図５に示されるトレイ構成であるとき、品物は、変換可能な物品４０１の第１の側部１０２の支持表面Ｓの上に設置されてよいことを諒解されたい。
【００３０】
図５のＡで示すように、変換可能な物品４０１の辺縁部分１０６は、マットからトレイへの変換を遂行するように、その第１の側部１０２に対して回転可能である。変換可能な物品４０１が、図４に示されるマット構成であるとき、及び変換可能な物品１０１が、図５のＢで示されるトレイ構成であるとき、品物は、変換可能な物品４０１の第１の側部１０２のベース部分１０４によって提供される支持表面Ｓの上に設置されてよいことを諒解されたい。
【００３１】
図６のＣで示すように、変換可能な物品４０１の辺縁部分４０３は、マットからトレイへの変換を遂行するように、その第２の側部１０３に対して回転可能である。変換可能な物品４０１が、図４に示されるマット構成であるとき、及び変換可能な物品４０１が、図６のＤで示されるトレイ構成であるとき、品物は、変換可能な物品４０１の第２の側部１０３のベース部分４０２によって提供される支持表面ＳＳの上に設置されてよいことを諒解されたい。
【００３２】
変換可能な物品４０１をトレイ構成からマット構成に変換するために、逆のステップが前述のように辿られる。
【００３３】
図７に関して説明するように、本発明の変換可能な物品は他の特徴を有してよい。
【００３４】
一実施形態では、変換可能な物品の辺縁は、ハンドルのペアを備えることがある。図７に示すように、一例では、変換可能な物品１０１の辺縁部分１０６の第１のペア２０１の辺縁部分は各々、それを通るハンドル開口部（apertures）７０１を画定し、開口部の対応するペアが、可撓性材料の基材シート１０８内で画定される。これによって、ユーザは、変換可能な物品１０１の辺縁１０５を通して手を挿入することができる。ハンドル開口部は、変換可能な物品１０１の変換と、トレイの形をとるときの変換可能な物品１０１の操作を容易にする。代替タイプのハンドル、たとえば、手動で把持可能な要素、ストラップ、又はループが使用されてよい。
【００３５】
ハンドル開口部７０１を備える変換可能な物品１０１が次のように使用されてよいことを諒解されたい。変換可能な物品１０１は、テーブル、作業台、又は棚によって提供され得るものなど適切な平面状表面の上にマットとして平らに置くことができる。次いで、品物を、その提供された支持表面の上に載せることができる。次いで、ハンドル開口部７０１を引き上げ、トレイを形成することができる。次いで、持ち運びのできるトレイの上に品物を載せて、ある位置から別の位置へ運搬してよい。次いで、品物の積み込み及び／又は積み降ろしを可能にするために、変換可能な物品１０１を再度、適切な表面の上に置くことができる。例示的なシナリオでは、変換可能な物品１０１は、食品トレイ及びプレースマットとして使用されてよい。
【００３６】
図８は、本明細書で説明する変換可能な物品の製造方法８０１におけるステップを示す。
【００３７】
ステップ８０２において、可撓性材料のシートが、変換可能な物品のベース部分及び辺縁部分のための基材として使用するために受け取られる。ステップ８０３において、変換可能な物品のためのベース部分及び辺縁部分が受け取られる。ステップ８０４において、変換可能な物品のための受け取られたベース部分及び辺縁部分が、受け取られた可撓性材料の基材シートに固定される。可撓性材料の基材シートに固定されたベース部分及び辺縁部分の外側表面は、ディスプレイ面として露出される。
【００３８】
ベース部分及び辺縁部分は、任意の適切な手段によって可撓性材料の基材シートに固定されてよい。ベース部分及び辺縁部分は、適切な接着剤を使用して可撓性の基材シートに固定されてよい。
【００３９】
変換可能な物品の製造方法８０１は、さらなるステップを備えてよい。
【００４０】
前に説明したように、ベース部分及び辺縁部分の外側表面が、ディスプレイ面として露出される。本発明は、可撓性材料の基材シート、ベース部分、及び辺縁部分の材料を審美的並びに実用的な形で使用することができる変換可能な物品の好都合な構造を提供する。
【００４１】
可撓性材料の基材シート及びベース部分及び辺縁部分の各々は、不透明であってもよいし、半透明であってもよいし、透明であってもよい。
【００４２】
可撓性材料の基材シートは、任意の適切な材料又は材料の組み合わせから製作されてよい。可撓性材料の基材シートは、織物、皮革、又はプラスチック材料から製作されてよい。可撓性材料の基材シートは、１又は２以上の層を備えてよい。
【００４３】
ベース部分及び辺縁部分の各々は、任意の適切な材料又は材料の組み合わせから製作されてよい。ベース部分及び辺縁部分の各々は、木、金属、ガラス、又はプラスチック材料から製作されてよい。ベース部分及び辺縁部分の各々は、１又は２以上の層を備えてよい。
【００４４】
材料、表面テクスチャ、表面仕上げ、色合い、及び装飾的設計は、本明細書で説明する変換可能な物品の構成要素によって、及び本明細書で説明する変換可能な物品によって、異なってよいことを諒解されたい。
【００４５】
可撓性材料の基材シート及びベース部分及び辺縁部分に選択される材料は、意図された用途又は変換可能な物品の用途の想定された環境を反映してよい。たとえば、選択される材料は、そのような要件を反映する物理的性質を耐熱性又は耐破砕性として有してよい。
【００４６】
変換可能な物品では、辺縁部分は、ベース部分と同じ材料又は材料の組み合わせから製作されてもよいし、ベース部分と異なる材料又は材料の組み合わせから製作されてもよく、辺縁部分は、同じ材料又は材料の組み合わせから製作されてもよいし、２又は３以上の異なる材料又は材料の組み合わせから製作されてもよい。
【００４７】
例を挙げると、図１〜図３の変換可能な物品を参照すると、辺縁部分は、すべて互いと同じ材料で作製されてもよいし、すべて互いと異なる材料から作製されてもよく、辺縁部分のペアは、１又は２以上の異なる材料又は審美的性質に関して、辺縁部分の他方のペアと異なってよい。
【００４８】
同じく、図４〜図６の変換可能な物品に関する例を挙げると、一方の側部のベース部分と辺縁部分のセットは、他方の側部にある辺縁部分のセットと同じように作製されてもよいし、他方の側部にある辺縁部分のセットと異なるように作製されてもよい。たとえば、一方の側部は、ある色のベース部分及び辺縁部分を有してよく、他方の側部は、別の色のベース部分及び辺縁部分を有してよい。別の例では、一方の側部は、第１の材料のベース部分と、第２の材料の辺縁部分とを有してよく、他方の側部は、第２の材料のベース部分と、第１の材料の辺縁部分とを有してよい。
【００４９】
したがって、辺縁の辺縁部分はすべて似通っていてよく、その場合、その辺縁部分の周りのベース部分は、辺縁部分と同様に配置されてもよいし、辺縁部分と異なるように配置されてもよい。可撓性材料の基材シート上で支持されるベース部分及び辺縁部分の外側部を露出させることによって、無数の（endless）設計が作製され得る。
【００５０】
本明細書で説明する変換可能な物品の構造によって、物理的特徴及び審美的特徴の無限の変形形態が可能になる。
【００５１】
図示の実施形態では、変換可能な物品のベース部分は略方形である。しかしながら、規則的形状でも不規則な形状でもよく、任意の角が鋭利でも丸みを帯びてもよい、他の形状が想定される。図示の実施形態では、辺縁の外縁は、ベース部分の外縁の周りで略平行に延在する。しかしながら、代替配置が想定される。全体的な寸法及び重量は変換可能な物品によって変わってよいことを諒解されたい。
【００５２】
変換可能な物品は、マット構成とトレイ構成の一方又は両方をとる変換可能な物品を選択的に保持するための保持手段を備え得る。保持手段は、任意の適切なタイプであってよく、辺縁部分をベース部分に対して所定の位置に一時的に保つ磁石又はクリップを備えてよい。
【００５３】
有利であると本明細書で説明する変換可能な物品の構造によって、変換可能な物品を好都合にカスタマイズし、実用的な目的及び審美的な目的で変化させることができる。
【００５４】
本明細書で説明する変換可能な物品は、さまざまな場所で、さまざまな人々によって、さまざまな用途のために使用されてよい。たとえば、変換可能な物品は、自宅で、又は市販食品小売店（commercial food outlet）において、プレースマット及びトレイとして使用されてもよいし、建設業又はＤＩＹの運搬用マットとして使用されてもよい。したがって、本発明の変換可能な物品は、家庭の場、社会の場、ビジネスの場、又は商業の場で使用されてよい。
【００５５】
本発明の例示的な実施形態は、本明細書において添付の図面を参照しながら詳細に開示されているが、本発明は、まさにその図示の実施形態に限定されず、それに関するさまざまな変更及び修正が、添付の特許請求の範囲及びそれらの均等物によって定義される本発明の範囲から逸脱することなく、当業者によって遂行可能であることを理解されたい。
【図１】
0003210166.tif 000003
【図２】
0003210166.tif 000004
【図３】
0003210166.tif 000005
【図４】
0003210166.tif 000006
【図５】
0003210166.tif 000007
【図６】
0003210166.tif 000008
【図７】
0003210166.tif 000009
【図８】
0003210166.tif 000010
【手続補正書】
【提出日】平成29年3月7日(2017.3.7)
【手続補正１】
【補正対象書類名】実用新案登録請求の範囲
【補正対象項目名】全文
【補正方法】変更
【補正の内容】
【実用新案登録請求の範囲】
【請求項１】
可撓性材料の基材シートと、
その内側表面が前記可撓性材料の基材シートの第１の側部に固定された略平面状の剛性ベース部分と、
前記剛性ベース部分の周りに延在する辺縁であって、剛性辺縁部分を備え、各剛性辺縁部分が、その内側表面を前記可撓性材料の基材シートの前記第１の側部に固定させた、辺縁と
を備えた変換可能な物品であって、
前記剛性ベース部分が略方形であり、側部の第１のペアと、側部の第２の対向するペアとを有し、
前記辺縁が、
略方形の形状を有し、前記剛性ベース部分の前記側部の第１のペアと前記剛性ベース部分の前記側部の第２の対向するペアのうちの一方に沿って延在する、剛性辺縁部分の第１のペアと、
一方が他方よりも長い、対向する平行な側縁を備えた略台形の形状を有し、前記剛性ベース部分の前記側部の第１のペアと前記剛性ベース部分の前記側部の第２の対向するペアのうちの他方に沿って延在する、剛性辺縁部分の第２のペアであって、短い方の側縁が前記剛性ベース部分により近い、剛性辺縁部分の第２のペアと、
前記可撓性材料の基材シートによって提供される、接合する、実質的に折りたたみ式でない可撓性ウェブ部分であって、略三角形の形状を有し、前記剛性ベース部分及び前記剛性辺縁部分よりも薄い、可撓性ウェブ部分と
を備え、
前記辺縁が、
前記剛性辺縁部分が前記剛性ベース部分と実質的に同一平面上にある第１のマット構成と、
前記剛性辺縁部分が前記剛性ベース部分に対して傾斜した第２のトレイ構成と
の間で繰り返し構成可能であり、
前記剛性辺縁部分と前記可撓性ウェブ部分が、前記剛性辺縁部分の第１のペアを前記剛性ベース部分に対する略同一平面上の位置と前記剛性ベース部分に対して傾斜した位置のうちの一方と他方との間で動かすことによって前記剛性辺縁部分の第２のペアが対応するように動くように構成された辺縁を提供し、
前記剛性ベース部分の外側表面、前記剛性辺縁部分の外側表面、及び前記可撓性材料が見え、前記剛性ベース部分及び前記剛性辺縁部分の外側表面は、品物が受け取り可能であるディスプレイ面として露出される、
前記変換可能な物品。
【請求項２】
可撓性材料の基材シートが、第１の側部上でのみ剛性ベース部分と剛性辺縁部分の単一のセットを支持する、請求項１に記載の変換可能な物品。
【請求項３】
可撓性材料の基材シートが、第１の側部上で剛性ベース部分と剛性辺縁部分の第１のセットを支持し、その第２の側部上で剛性ベース部分と剛性辺縁部分の第２のセットを支持する、請求項１に記載の変換可能な物品。
【請求項４】
リバーシブルの第２のトレイ構成を有する、請求項１〜３のいずれかに記載の変換可能な物品。
【請求項５】
剛性ベース部分が、短い方の対向する側部のペアと、長い方の対向する側部のペアとを有し、
剛性辺縁部分の第１のペアが、剛性ベース部分の短い方の対向する側部のペアに沿って延在し、
剛性辺縁部分の第２のペアが、ベース部分の対向する長い方の側部のペアに沿って延在する、
請求項１〜４のいずれかに記載の変換可能な物品。
【請求項６】
辺縁がハンドルのペアを備える、請求項１〜５のいずれかに記載の変換可能な物品。
【請求項７】
ハンドルのペアがハンドル開口部のペアを備える、請求項６に記載の変換可能な物品。
【請求項８】
ハンドルのペアが、剛性辺縁部分の第１のペア及び可撓性材料の基材シートにおいて画定されたハンドル開口部のペアを備える、請求項７に記載の変換可能な物品。
【請求項９】
各剛性ベース部分及び各剛性辺縁部分の内側表面が、接着剤を使用して可撓性材料の基材シートに固定される、請求項１〜８のいずれかに記載の変換可能な物品。
【請求項１０】
剛性辺縁部分がすべて、同じ材料又は材料の組み合わせから製作される、請求項１〜９のいずれかに記載の変換可能な物品。
【請求項１１】
ベース部分が、剛性辺縁部分と同じ材料又は材料の組み合わせから製作される、請求項１０に記載の変換可能な物品。
【請求項１２】
各剛性ベース部分及び各剛性辺縁部分が、木、金属、ガラス、プラスチック材料のうちの１つから製作される、請求項１〜１１のいずれかに記載の変換可能な物品。
【請求項１３】
可撓性材料の基材シートが、織物、皮革、プラスチック材料のうちの１つから製作される、請求項１〜１２のいずれかに記載の変換可能な物品。